(57)【特許請求の範囲】
【請求項１】
磁気データ記録媒体に記録されているデータの記録方式がＦＭ方式、ＭＦＭ方式又はＮＲＺ方式かを選択し、その選択された方式に従ってデータを抽出し、その抽出されたデータを基に所定の演算処理を行い、必要に応じて新たなデータをその選択された方式に従ってその磁気データ記録媒体に記録する磁気データ処理装置において、
前記磁気データ記録媒体に記録されているデータが前記ＮＲＺ方式で記録されているかを判定するとともに、前記磁気データ処理装置本体を制御するメインＣＰＵと、
前記磁気データ記録媒体に記録されている各トラック毎に対応して設けられ、かつその磁気データ記録媒体に記録されているデータが前記ＦＭ方式か又は前記ＭＦＭ方式かを判定するＦ２Ｆ信号処理用ＣＰＵと、
を有することを特徴とする磁気データ処理装置。
【発明の詳細な説明】
【０００１】
【発明の属する技術分野】
本発明は、磁気データ処理装置に係り、特に、乗車券類に記憶されている磁気データの処理に好適な磁気データ処理装置に関する。
【０００２】
【従来の技術】
現在、乗車券類（プリペイドカードやストアードフェアカード等のカード類を含む）に記録されている磁気データの記録方式としては、図３に示されるように、ＦＭ方式、ＭＦＭ方式及びＮＲＺ方式の三方式がある。したがって、自動改札機等の駅務機器は、いずれの方式にも対処できるように構成されている。
【０００３】
図４を用いてさらに説明すると、同図（ａ）は、自動改札機用の磁気データ処理装置の概略構成を示すブロック図である。
【０００４】
リードヘッド１は、自動改札機に投入された乗車券類に記録されているデータを読取るもので、そのリードヘッド１で読取られた信号は、ハイブリッドＩＣで形成されたＮＲＺ信号生成回路２、及びハイブリッドＩＣで形成されたＦ２Ｆ信号生成用回路３にそれぞれ入力されるように構成されている。
【０００５】
ＮＲＺ信号生成回路２では、乗車券類に記録されているクロックトラックを基準に、他の各トラックを同時に処理してＮＲＺ信号を生成し、後段の判定用ＣＰＵ（メインＣＰＵ）４に出力するようにしている。
【０００６】
Ｆ２Ｆ信号生成回路３では、乗車券類に記録されている各トラック毎に記録されているデータの幅を検出しＦ２Ｆ信号に生成し、この生成したＦ２Ｆ信号を上述の判定用ＣＰＵ４に出力するとともに、ＭＦＭ処理用ＣＰＵ５に出力するように構成されている。
【０００７】
このＭＦＭ処理用ＣＰＵ５は、ＭＦＭ信号の幅の比が２：３：４の３種類からなることから、全データを読取り、先頭の同期ビットの８個の平均から、幅の比が「２」のものを抽出し、その抽出した値（「２」）を基準にして幅の比が「３」と「４」のものを選別し、“０”，“１”に変換するようにしている。
【０００８】
判定用ＣＰＵ４は、磁気データ処理装置全体を制御するもので、図示しない自動改札機を統括的に制御する上位のＣＰＵと協働して、乗車券類に新たなデータを書込むためのライトヘッド６にライト信号を送出するように構成されている。
【０００９】
このライト信号は、リードヘッド１を介して読取られた信号の方式で乗車券類に書込むように生成されている。すなわち、判定用ＣＰＵ４がＮＲＺ信号生成用回路２からＮＲＺ信号を入力したとき、その乗車券類に記録されている記録方式はＮＲＺ方式と判定し、判定用ＣＰＵ４がＭＦＭ処理用ＣＰＵ５からＭＦＭ信号を入力したとき、その乗車券類に記録されている記録方式は、ＭＦＭ方式と判定し、判定用ＣＰＵ４がＮＲＺ方式でもＭＦＭ方式でもなくＦＭ方式と判定したとき、Ｆ２Ｆ信号生成用回路３から入力した信号を処理して、つまり、直前のビットの幅を基準して５／７以上の場合、“０”、それより短い場合は“１”を生成し、“１”を生成した場合は次のビットを加えて直前のビットを算出するようにしている。
【００１０】
図４（ｂ）は、自動券売機や自動精算機等の出札機に組込まれている従来の磁気データ処理装置であり、上述の自動改札機の例と異なる点は、判定用ＣＰＵ４でＮＲＺ方式、ＭＦＭ方式及びＦＭ方式の全方式を判定するようにしていることである。
【００１１】
したがって、リードヘッド１からの信号は、ハイブリットＩＣで形成され、信号生成用回路７で増幅等の信号処理が行われた後、Ｆ２Ｆ信号もＮＲＺ信号も含んだ形で判定用ＣＰＵ４に入力されるように構成されている。
【００１２】
【発明が解決しようとする課題】
しかしながら、上記従来の磁気データ処理装置は、１個の判定用ＣＰＵ（メインＣＰＵ）で各方式を判別するようにしているので、負荷が重くなるという欠点があるとともに、上記図４（ａ），（ｂ）からも明らかなように、磁気データ処理装置の組込まれる処理機の種類によって、ＣＰＵの処理内容が異なり共用できないという問題があった。
【００１３】
そこで、本発明は、上記欠点を解決するためになされたものであって、その目的は、判定用の負荷を軽減できるとともに、各処理機に共通化できる、しかも読取りミスを防止できる磁気データ処理装置を提供することにある。
【００１４】
【課題を解決するための手段】
本発明に係る磁気データ処理装置は、上記目的を達成するために、磁気データ記録媒体に記録されているデータの記録方式がＦＭ方式、ＭＦＭ方式又はＮＲＺ方式かを選択し、その選択された方式に従ってデータを抽出し、その抽出されたデータを基に所定の演算処理を行い、必要に応じて新たなデータをその選択された方式に従ってその磁気データ記録媒体に記録する磁気データ処理装置において、前記磁気データ記録媒体に記録されているデータが前記ＮＲＺ方式で記録されているかを判定するとともに、前記磁気データ処理装置本体を制御するメインＣＰＵと、前記磁気データ記録媒体に記録されている各トラック毎に対応して設けられ、かつその磁気データ記録媒体に記録されているデータが前記ＦＭ方式か又は前記ＭＦＭ方式かを判定するＦ２Ｆ信号処理用ＣＰＵとを有することを特徴としている。
【００１５】
【発明の実施の形態】
以下、本発明の実施の形態を図面に基づいて説明する。図１は一実施の形態に係る磁気データ処理装置の概略構成を示すブロック図であって、上記図４に示した従来装置と同一構成要素には同一符号を用いて説明する。
【００１６】
リードヘッド１は、ここでは１のみ示されているが、図示しない磁気データ記録媒体（乗車券類）に設けられている複数本のトラックに対応したもので、したがって、リードヘッド１の内部には、図示しないが、その複数本のトラックに対応したコイルを有するヘッド素子が複数個設けられている。
【００１７】
信号生成用回路７は、上記図４（ｂ）の信号生成用回路７と同様にハイブリッドＩＣから形成されていて、増幅等の信号処理をしたのち、ＮＲＺ信号解析用として判定用ＣＰＵ、及びＦ２Ｆ信号処理用としてＦ２Ｆ信号処理用ＣＰＵ８にそれぞれ出力されるように構成されている。
【００１８】
Ｆ２Ｆ信号処理用ＣＰＵ８は、リードヘッド１の各ヘッド素子に対応して、すなわち、磁気データ記録媒体に設けられている各トラックに対応して複数個設けられている。
【００１９】
判定用ＣＰＵ４は、磁気データ処理装置全体を制御するもので、本発明のメインＣＰＵに該当し、自動改札機等の磁気データ記録媒体（乗車券類）を処理する処理機を統括的に制御する図示しない上位のＣＰＵと協働して、磁気データ記録媒体に新たなデータを書込むためのライトヘッド６にライト信号を送出するように構成されている。
【００２０】
このライト信号は、リードヘッド１を介して読取られた信号の方式で、すなわち、ＦＭ方式、ＭＦＭ方式又はＮＲＺ方式で磁気データ記録媒体に書込むように生成されている。
【００２１】
次に、磁気データ処理装置が自動改札機に組込まれたものであり、また、磁気データ記録媒体が乗車券類であるとして、図２のフローチャートを用いて制御動作について説明する。
【００２２】
今、自動改札機に乗車券類が投入されると（ステップ１００肯定。以下、ステップをＳとする。）、その乗車券類の各トラックに記録されているデータがリードヘッド１を介して読取られ、その読取られた信号は、信号生成用回路７を介して判定用ＣＰＵ（メインＣＰＵ）４とＦ２Ｆ信号処理用ＣＰＵ８とにそれぞれ出力される。
【００２３】
判定用ＣＰＵ４では、投入された乗車券類の記録方式がＮＲＺ方式であるとして、すなわち、各トラックが独立していないものとしてＮＲＺ方式でのデータ解析の開始が行われる（Ｓ１０２ａ）。
【００２４】
この判定用ＣＰＵ４のＮＲＺ方式のデータ解析と同時に、つまり、ＮＲＺ方式のデータ解析と並行してＦ２Ｆ信号処理用ＣＰＵ８では、投入された乗車券類がＦＭ方式又はＭＦＭ方式であるとして、すなわち、各トラックが独立しているものとして各トラック毎のデータの解析が行われる（Ｓ１０２ｂ）。
【００２５】
このＦ２Ｆ信号処理用ＣＰＵ８における各トラック毎のデータ解析の際、Ｆ２Ｆ信号処理用ＣＰＵ８に設けられた外部パラメータエリアには、自動改札機（処理機）の搬送速度等の特有の条件が格納される。したがって、後に、この格納されている処理機（この場合は自動改札機）の特性に対応して、正確なデータ処理を行うことができる。
【００２６】
判定用ＣＰＵ４の解析により、データ中にクロックデータが含まれていて乗車券類に記録されている記録方式がＮＲＺ方式と判定された場合は（Ｓ１０４ａ）、そのＮＲＺ方式用のプログラムを用いて乗車券類に記録されているデータの読取りが行われ、その読取られたデータを基に自動改札機を統括的に制御する図示しない制御器（ＣＰＵ）で改札処理用の所定の演算処理が行われる（Ｓ１０６）。
【００２７】
改札処理用の所定の演算処理の結果、乗車券類に新たに記録すべきデータがあるとき、例えば、入場データを記録すべきとき、そのデータは、判定用ＣＰＵ４を介してＮＲＺ方式でライトヘッド６を介して乗車券類に書込まれる（Ｓ１０８）。
【００２８】
さて、Ｆ２Ｆ信号処理用ＣＰＵ８においては、読取り始めの、つまり先頭の数ビット（例えば４ビット。以下、４ビットで説明する。）の記録密度が算出され、その記録密度の相違からＦＭ方式かＭＦＭ方式かの記録方式が判定される（Ｓ１０２ｂ）。算出された記録密度が所定の値より大きいときはＦＭ方式と判定され（Ｓ１０４ｂ肯定）、その所定の値より小さいときはＭＦＭ方式と判定される（Ｓ１０４ｂ否定、Ｓ１０４ｃ肯定）。
【００２９】
Ｆ２Ｆ信号処理用ＣＰＵ８における“０”と“１”の判別は、直前の基準ビットの４個分の平均が使用される。そして、ＦＭ方式についての基準ビットは、“０”の幅とし、“１”の場合は“１”の幅の２個分が基準ビットとされる。また、ＭＦＭ方式についての基準ビットは幅２とし、幅３及び幅４の場合は幅をそれぞれ２／３、１／２にして擬似的な幅２を算出し基準ビットとされる。
【００３０】
乗車券類に記録されている記録方式がＦＭ方式又はＭＦＭ方式と判定された場合も、上述のＮＲＺ方式と判定されたときと同様に、その判定された方式のプログラムに従って演算処理され、また、ＦＭ方式又はＭＦＭ方式に従って新たなデータが記録される（Ｓ１０６、Ｓ１０８）。
【００３１】
上述の磁気データ処理装置は、Ｆ２Ｆ信号処理用ＣＰＵで各トラック毎のデータを処理してＦＭ信号処理又はＭＦＭ信号処理を行うとともに、判定用ＣＰＵ４でＮＲＺ信号処理を行うようにしたので、判定用ＣＰＵ４の負荷を軽減させることができ、また、自動改札機や自動精算機等の種類の異なる処理機においても共用できる特長がある。
【００３２】
また、従来の磁気データ処理装置におけるＦＭ方式の読取りにおいては、直前のビットが何らかの理由によって長くなるなどの変動があった場合、その値を基準にして次のビット幅から“０”，“１”を判別しているために誤判別するおそれがあるが、本発明のように、直前の複数個（上述の例では４個）のビットの平均値を基準としているので、誤判別を少なくすることができる。
【００３３】
さらに、従来の磁気データ処理装置におけるＭＦＭ方式の読取りにおいては、全データを読取った後に“０”，“１”の判別を行うので、必然的に処理時間が長くなるという不都合があるが、本発明では、データの読取り途中において処理することができるので、処理時間を短縮することができるという特長がある。
【００３４】
なお、上述の例では、磁気データ処理装置を自動改札機に組込んだ例を示したが、この自動改札機に代えて、例えば、自動精算機に組込むこともでき、その他の処理機に組込むようにしてもよい。また、磁気データ記録媒体を乗車券類としたが、プリペイドカードやストアードフェアカードのようなカード類であってもよいことはもちろんである。
【００３５】
【発明の効果】
本発明に係る磁気データ処理装置は、磁気データ記録媒体に記録されているデータがＮＲＺ方式で記録されているかを判定するとともに、前記磁気データ処理装置本体を制御するメインＣＰＵと、前記磁気データ記録媒体に記録されている各トラック毎に対応して設けられ、かつその磁気データ記録媒体に記録されているデータがＦＭ方式か又はＭＦＭ方式かを判定するＦ２Ｆ信号処理用ＣＰＵとからなるので、メインＣＰＵの負荷を軽減することができ、各種処理機に共用することができる。
【図面の簡単な説明】
【図１】本発明の一実施の形態に係る磁気データ処理装置の概略構成を示すブロック図である。
【図２】制御動作を示すフローチャートである。
【図３】ＦＭ方式、ＭＦＭ方式及びＮＲＺ方式の読取り波形を示す説明図である。
【図４】（ａ）は自動改札機に組込まれている従来の磁気データ処理装置の概略構成を示すブロック図、（ｂ）は自動精算機又は自動券売機に組込まれている従来の磁気データ処理装置の概略構成を示すブロック図である。
【符号の説明】
１  リードヘッド
４  判定用ＣＰＵ（メインＣＰＵ）
６  ライトヘッド
７  信号生成用回路
８  Ｆ２Ｆ信号処理用ＣＰＵ
【図１】
0003626825.tif 000002
【図２】
0003626825.tif 000003
【図３】
0003626825.tif 000004
【図４】
0003626825.tif 000005